(57)【要約】【課題】車両走行制御システムにおいて、昇圧切替線と降圧切替線の間に動作点がある場合に、適切に降圧して損失を低減することである。【解決手段】車両走行制御システム１０は、回転電機１４、蓄電装置２０、電圧変換器２４、インバータ回路２８等と、制御装置３０を含む。制御装置３０は、回転電機１４の動作点を取得する動作点取得部４０と、取得した動作点が、昇圧状態に適した領域にあるか、降圧状態に適した領域にあるかを区別する動作点領域判定部４２と、動作点が昇圧切替線側から降圧切替線に近づいて予め定めた降圧機会増加線の領域にあるかどうかを判断する降圧機会増加領域判定部４４と、降圧機会増加領域にあるときに、車両走行状態を変更することで電圧変換器２４の動作点を移動させて降圧状態に変更する降圧状態変更部４６を含む。【選択図】図１
2013051828.tif 000002
【特許請求の範囲】
【請求項１】
電源部の電圧を昇降圧して回転電機の駆動回路に供給する電圧変換器と、
電圧変換器の動作特性について、降圧状態から昇圧状態に切り替える昇圧切替線と、昇圧状態から降圧状態に切り替える降圧切替線とを予め設定し、車両の走行状態に応じて、電圧変換器の動作を制御する制御装置と、
を備え、
制御装置は、
車両の走行状態に対応する電圧変換器の動作点が、昇圧状態のままで降圧切替線に近づき、降圧切替線と予め定めた切替余裕度を隔てて設定される降圧機会増加線に達したときに、切替余裕度に対応して車両の走行状態を変更し電圧変換器の動作点を移動させて降圧状態とすることを特徴とする車両走行制御システム。
【請求項２】
請求項１に記載の車両走行制御システムにおいて、
切替余裕度は、車両のトルク指令値に対応するトルク低下値で設定されることを特徴とする車両走行制御システム。
【請求項３】
請求項２に記載の車両走行制御システムにおいて、
車両のアクセル操作によるトルク指令変更、または予め定める他の要因によるトルク指令変更がおこなわれたときには、これらのトルク指令変更を優先し、電圧変換器の動作点が降圧機会増加線に達しても降圧しないことを特徴とする車両走行制御システム。
【請求項４】
請求項２に記載の車両走行制御システムにおいて、
車両のブレーキ操作によるトルク指令低減変更、または予め定める他の要因によるトルク指令低減変更が行われたときに、これらのトルク指令低減変更によるトルク指令低減値が、切替余裕度に対応するトルク低下値よりも低減幅が大きい場合は、これらのトルク指令低減変更を優先することを特徴とする車両走行制御システム。
【請求項５】
請求項１に記載の車両走行制御システムにおいて、
電圧変換器の動作特性は、車両駆動用の回転電機についてのトルクと回転数に基づいて、昇圧切替線と降圧切替線と降圧機会増加線とが設定されることを特徴とする車両走行制御システム。
【発明の詳細な説明】
【技術分野】
【０００１】
本発明は、車両走行制御システムに係り、特に、回転電機と、その駆動のために電圧変換器を用いて昇降圧を行う車両走行制御システムに関する。
【背景技術】
【０００２】
車両に搭載される回転電機を駆動するために、電圧変換器を用いて蓄電装置の電圧を駆動に適した電圧に昇圧してインバータ回路に供給することが行われる。そして、制御モードとしては、制御応答性のよいＰＷＭ（Ｐｕｌｓｅ  Ｗｉｄｅ  Ｍｏｄｕｌａｔｉｏｎ）制御モードと、電圧利用効率の高い矩形波制御モードを使い分けることが知られている。
【０００３】
このように、電圧変換器を用いて昇圧を行うと、直接的に蓄電装置の電圧を供給する場合に比較し、電圧変換器における損失が発生する。また、ＰＷＭ制御モードでは、高速スイッチングを行うので、スイッチング損失が発生する。これらのことから、損失を抑制しながら回転電機に対する要求に応えるように、回転電機の駆動制御が行われる。
【０００４】
例えば、特許文献１，２には、モータ駆動制御装置として、矩形波交流電圧とＰＷＭ波交流電圧のいずれでも駆動可能なモータの運転領域では、矩形波交流電圧でモータを駆動した場合の損失とＰＷＭ交流電圧でモータを駆動した場合の損失とを比較し、損失が少ない制御に切替えることが開示されている。
【０００５】
引用文献３には、電動機制御装置として、交流電動機の各相の電圧指令値の絶対値がバッテリ電圧と等価な値Ａの１／２を超えるまではＰＷＭ波形電圧による制御を行い、Ａ／２以上で矩形波電圧による制御を行うことが述べられている。ここでは、矩形波電圧をフーリエ逆変換して得られる基本波がＰＷＭ波形電圧と一致するような変換が行われ、これによってＰＷＭ波形電圧による制御と矩形波電圧による制御との間の切替が生じてもモータのトルクに影響する基本波の実効値が変化せず、モータにショックが発生しないと述べられている。さらに、各相の電圧指令値のうちのいずれかが、インバータで生成可能な最大電圧値を超えたときには、トルク指令値を引き下げて、電圧指令値の算出を再度行うことが開示されている。
【先行技術文献】
【特許文献】
【０００６】
【特許文献１】特開２００４−７２９５４号公報
【特許文献２】特開２００４−１６６４１５号公報
【特許文献３】特開２０００−３５８３９３号公報
【発明の概要】
【発明が解決しようとする課題】
【０００７】
上記のように、回転電機の駆動に際し、昇降圧のための電圧変換器を用いると、電圧変換器の変換損失が発生する。その観点から、できるだけ蓄電装置の電圧を直接用いる降圧駆動状態で回転電機の駆動を行うことがよいが、車両の走行においては他の損失も発生し、昇圧駆動状態の方が全体の損失が少なくなることがある。
【０００８】
そこで、車両走行制御において全体の損失を最小にするように、降圧駆動状態と昇圧駆動状態を使い分けることがよい。そのために、トルクと回転数の２次元平面において、電圧変換器の動作点を示し、その２次元平面上で、降圧状態から昇圧状態に切り替える昇圧切替線を設定し、動作点がパワー増加の方向に移動するときは、この昇圧切替線を越えるときに昇圧状態とすることが行われる。
【０００９】
この場合、一旦昇圧された状態から動作点がパワー減少の方向に移動するときに、昇圧切替線を越えるときに昇圧状態から降圧状態に戻すものとすると、切替時にチャタリングを生じることがある。そこで、昇圧切替線とは別に、降圧切替線を設け、動作点がパワー減少の方向に移動するとき、この降圧切替線を越えるときに降圧状態とすることが行われる。
【００１０】
このように、電圧変換器の動作特性について、降圧状態から昇圧状態に切り替える昇圧切替線と、昇圧状態から降圧状態に切り替える降圧切替線とを予め設定し、車両の走行状態に応じて、電圧変換器の動作を制御することが行われる。例えば、車両の走行テストに用いられる各種モード走行においては、各種モードにおいて、トルクと回転数で定まる動作点が明確に移動するので、昇圧と降圧の切替が問題なく行われ、損失が最小となる。
【００１１】
ところで、実際の走行状態では、高速道路の安定走行時のように、動作点がほとんど動かないか、かなりの時間をかけてゆっくりと動作点が移動することがある。この場合、動作点が昇圧切替線を越えて降圧切替線に向かいながら、降圧切替線になかなか到達しないことがあると、本来は降圧することで損失低減を図れるにもかかわらず、チャタリング防止のために降圧切替線を設定したために降圧できず、損失の大きいままの状態となる。
【００１２】
本発明の目的は、昇圧切替線と降圧切替線の間に動作点がある場合に、適切に降圧して損失を低減できる車両走行制御システムを提供することである。
【課題を解決するための手段】
【００１３】
本発明に係る車両走行制御システムは、電源部の電圧を昇降圧して回転電機の駆動回路に供給する電圧変換器と、電圧変換器の動作特性について、降圧状態から昇圧状態に切り替える昇圧切替線と、昇圧状態から降圧状態に切り替える降圧切替線とを予め設定し、車両の走行状態に応じて、電圧変換器の動作を制御する制御装置と、を備え、制御装置は、車両の走行状態に対応する電圧変換器の動作点が、昇圧状態のままで降圧切替線に近づき、降圧切替線と予め定めた切替余裕度を隔てて設定される降圧機会増加線に達したときに、切替余裕度に対応して車両の走行状態を変更し電圧変換器の動作点を移動させて降圧状態とすることを特徴とする。
【００１４】
また、本発明に係る車両走行制御システムにおいて、切替余裕度は、車両のトルク指令値に対応するトルク低下値で設定されることが好ましい。
【００１５】
また、本発明に係る車両走行制御システムにおいて、車両のアクセル操作によるトルク指令変更、または予め定める他の要因によるトルク指令変更が行われたときには、これらのトルク指令変更を優先し、電圧変換器の動作点が降圧機会増加線に達しても降圧しないことが好ましい。
【００１６】
また、本発明に係る車両走行制御システムにおいて、車両のブレーキ操作によるトルク指令低減変更、または予め定める他の要因によるトルク指令低減変更が行われたときに、これらのトルク指令低減変更によるトルク指令低減値が、切替余裕度に対応するトルク低下値よりも低減幅が大きい場合は、これらのトルク指令低減変更を優先することが好ましい。
【００１７】
また、本発明に係る車両走行制御システムにおいて、電圧変換器の動作特性は、車両駆動用の回転電機についてのトルクと回転数に基づいて、昇圧切替線と降圧切替線と降圧機会増加線とが設定されることが好ましい。
【発明の効果】
【００１８】
上記構成により、車両走行制御システムは、車両の走行状態に対応する電圧変換器の動作点が、昇圧状態のままで降圧切替線に近づいて、降圧機会増加線に達したときに、車両の走行状態を変更し電圧変換器の動作点を移動させて降圧状態とする。つまり、電圧変換器の動作点が降圧切替線よりも降圧状態側の動作点に移動させる。これによって、昇圧切替線と降圧切替線の間に動作点がある場合に、適切に降圧して損失を低減できる。
【００１９】
また、車両走行制御システムにおいて、切替余裕度は、車両のトルク指令値に対応するトルク低下値で設定される。これにより、トルク指令値を変更するだけで、適切に降圧して損失を低減できる。
【００２０】
また、車両走行制御システムにおいて、車両のアクセル操作によるトルク指令変更、または予め定める他の要因によるトルク指令変更が行われたときには、これらのトルク指令変更を優先する。これによって、車両の走行性を維持できユーザの満足を得ることができる。
【００２１】
また、車両走行制御システムにおいて、車両のブレーキ操作によるトルク指令低減変更、または予め定める他の要因によるトルク指令低減変更が行われたときに、これらのトルク指令低減変更によるトルク指令低減値が、切替余裕度に対応するトルク低下値よりも低減幅が大きい場合は、これらのトルク指令低減変更を優先する。この場合は、他の要因によって、降圧状態になるので、改めて特別な処理を行う必要がない。
【００２２】
また、車両走行制御システムにおいて、電圧変換器の動作特性は、車両駆動用の回転電機についてのトルクと回転数に基づいて、昇圧切替線と降圧切替線と降圧機会増加線とが設定される。これにより、車両の走行状態に対応する回転電機の駆動状態に基づいて、適切に降圧状態に変更することができる。
【図面の簡単な説明】
【００２３】
【図１】本発明に係る実施の形態の車両走行制御システムの構成図である。
【図２】電圧変換器の動作点と、昇圧切替線、降圧切替線、降圧機会増加線を説明する動作特性図である。
【図３】本発明に係る実施の形態において、昇圧状態から降圧状態に切り替える手順を示すフローチャートである。
【発明を実施するための形態】
【００２４】
以下に図面を用いて本発明に係る実施の形態につき、詳細に説明する。以下では、車両として、回転電機と共にエンジンを搭載するハイブリッド車両を述べるが、これは説明のための例示であって、回転電機のみで車両を駆動する電気自動車であってもよい。
【００２５】
また、以下では、車両に搭載される回転電機を１台として説明するが、これも例示であって、複数の回転電機が車両に搭載される場合であってもよい。例えば、１台の回転電機を駆動用に、もう１台の回転電機を発電用に用いる構成としてもよく、前輪駆動用と後輪駆動用で別々の回転電機としてもよい。
【００２６】
また、回転電機に接続されるものとして、蓄電装置、電圧変換器、平滑コンデンサ、インバータ回路を含むものとして説明するが、これは主たる構成要素を述べたもので、これ以外の構成要素を含むものとしてもよい。例えば、低電圧インバータ回路、システムメインリレー、ＤＣ／ＤＣコンバータ等を含むものとしてもよい。
【００２７】
以下では、全ての図面において同様の要素には同一の符号を付し、重複する説明を省略する。また、本文中の説明においては、必要に応じそれ以前に述べた符号を用いるものとする。
【００２８】
図１は、車両走行制御システム１０の全体の構成を示す図である。この車両走行制御システム１０は、ハイブリッド車両の走行状態に応じて、車両に搭載される回転電機１４の動作を制御するシステムである。
【００２９】
車両走行制御システム１０は、ハイブリッド車両の駆動源１２として、回転電機１４とエンジン１６を含み、回転電機１４に接続される駆動回路として、蓄電装置２０、電圧変換器２４、インバータ回路２８、平滑コンデンサ２２，２６を含み、これらの動作を全体として制御する制御装置３０と、制御装置３０に接続される記憶装置３４を含んで構成される。図１では、制御装置３０に入力される入力データ３２として、トルクＴと回転角速度ωが示されている。
【００３０】
ハイブリッド車両の駆動源１２を構成するエンジンは、内燃機関である。また、回転電機１４は、ハイブリッド車両に搭載されるモータ・ジェネレータ（Ｍ／Ｇ）であって、インバータ回路２８を含む駆動回路から電力が供給されるときはモータとして機能し、エンジン１６による駆動時、あるいはハイブリッド車両の制動時には発電機として機能する３相同期型回転電機である。回転電機１４の動作状態は、電流検出手段によって検出される駆動電流と、電気角検出手段であるレゾルバによって検出されるロータ回転角度から、トルクＴと回転角速度に変換され、適当な信号線によって、入力データ３２として制御装置３０に伝送される。
【００３１】
駆動回路を構成する蓄電装置２０は、充放電可能な高電圧用２次電池である。具体的には、約２００Ｖから約３００Ｖの端子電圧を有するリチウムイオン組電池である。組電池は、単電池または電池セルと呼ばれる端子電圧が１Ｖから数Ｖの電池を複数個組み合わせて、上記の所定の端子電圧を得るようにしたものである。平滑コンデンサ２２は、蓄電装置２０の側の電圧、電流を平滑化するコンデンサである。
【００３２】
電圧変換器２４は、蓄電装置２０とインバータ回路２８の間に配置され、直流電圧変換機能を有する回路である。電圧変換器２４は、リアクトルと、スイッチング素子を含んで構成される。電圧変換機能としては、蓄電装置２０側の電圧をリアクトルのエネルギ蓄積作用を利用して昇圧しインバータ回路２８側に供給する昇圧機能と、インバータ回路２８側からの電力を蓄電装置２０側に降圧して充電電力として供給する降圧機能とを有する。
【００３３】
以下では、電圧変換器２４の機能として、インバータ回路２８に電力を供給する昇圧機能について述べるので、電圧変換器２４が動作するときは、蓄電装置２０の電圧を昇圧してインバータ回路２８に供給する昇圧状態であるとする。昇圧状態のときは、電圧変換器２４を構成するスイッチング素子が動作するので、その動作による損失が電圧変換損失として生じる。
【００３４】
なお、電圧変換器２４の動作を止めた状態では、インバータ回路２８に供給される電圧は蓄電装置２０の電圧であるが、この状態を昇圧状態と対比させる意味で、降圧状態と呼ぶことにする。このように、ここでいう降圧状態とは、蓄電装置２０の電圧を降圧した状態をさすものではない。
【００３５】
降圧状態では、蓄電装置２０の電圧がそのままインバータ回路２８に供給されるので、電圧変換損失が発生しない。しかしながら、インバータ回路２８に昇圧されていない降圧状態の電圧が供給されるので、車両の走行状態によっては、インバータ回路２８、回転電機１４における損失が発生することがあるので、車両走行制御システム１０の全体の損失としては必ずしも最小とはならないことがある。したがって、車両走行制御システム１０の全体の損失を考えるときは、トルクＴと回転角速度ωで示される動作点に応じて、昇圧状態にするか、降圧状態にするかを選択する必要がある。その内容の詳細については後述する。
【００３６】
平滑コンデンサ２６は、インバータ回路２８側の電圧、電流を平滑化するコンデンサである。
【００３７】
インバータ回路２８は、回転電機１４に接続される回路で、複数のスイッチング素子と逆接続ダイオード等を含んで構成され、交流電力と直流電力との間の電力変換を行う機能を有する。すなわち、インバータ回路２８は、回転電機１４を発電機として機能させるときは、回転電機１４からの交流３相回生電力を直流電力に変換し、蓄電装置２０側に充電電流として供給する交直変換機能を有する。また、回転電機１４をモータとして機能させるときは、蓄電装置２０側からの直流電力を交流３相駆動電力に変換し、回転電機１４に交流駆動電力として供給する直交変換機能を有する。以下では電圧変換器２４の昇圧機能について述べるので、インバータ回路２８としては、直交変換機能が用いられる。
【００３８】
制御装置３０は、駆動源１２、電圧変換器２４、インバータ回路２８の動作を全体として制御して、ハイブリッド車両の走行を適切なものとする機能を有する。特にここでは、車両走行制御システム１０の全体についての損失を最小にするように、車両の走行状態に応じて電圧変換器２４の動作を昇圧状態と降圧状態の間で切り替える制御を適切に行う機能を有する。かかる制御装置３０としては、車両の搭載に適したコンピュータを用いることができる。
【００３９】
制御装置３０は、電圧変換器２４の動作を適切に制御するため、回転電機１４のトルクＴと回転角速度ωを動作点として取得する動作点取得部４０を含んで構成される。また、取得した動作点が、昇圧状態に適した領域にあるか、降圧状態に適した領域にあるかを区別する動作点領域判定部４２を含む。また、回転電機１４の動作点が昇圧切替線側から降圧切替線に近づき、予め定めた降圧機会増加線の領域にあるかどうかを判断する降圧機会増加領域判定部４４を含む。そして、降圧機会増加領域にあるときに、車両走行状態を変更することで電圧変換器２４の動作点を移動させて降圧状態に変更する降圧状態変更部４６を含む。
【００４０】
かかる機能は、ソフトウェアを実行することで実現でき、具体的には、車両走行制御プログラムの中の昇圧降圧切替プログラムを実行することで実現できる。上記機能の一部をハードウェアで実現するものとしてもよい。
【００４１】
制御装置３０に接続される記憶装置３４は、プログラム等を記憶する機能を有する。また、昇圧降圧切替プログラムを実行するために用いられるデータ、ファイル等を記憶する機能を有する。図１には、記憶装置３４に記憶されるファイルとして、電圧変換器２４の動作特性において、昇圧切替線と降圧切替線と降圧機会増加線の関係を示す関係ファイル３６が示されている。
【００４２】
図２は、記憶装置３４に記憶される関係ファイル３６の内容を説明する図である。この関係ファイルは、横軸に回転電機１４の回転数Ｎをとり、縦軸に回転電機１４が出力するトルクＴをとり、回転電機１４の動作範囲を示す特性線５０と、昇圧切替線５２、降圧切替線５４、降圧機会増加線５６を示すデータファイルである。
【００４３】
特性線５０は、回転電機１４の動作限界を示す線であり、パワーＰ＝トルクＴ×回転数Ｎの関係から求められる双曲線特性の最大パワー限界線と、トルクＴの最大限界線と、回転数Ｎの最大限界線から構成される。したがって、回転電機１４の動作点は、この特性線５０で囲まれた領域の中に設定されることになる。
【００４４】
昇圧切替線５２は、車両走行制御システム１０の全体の損失を最小とするために、電圧変換器２４を降圧状態から昇圧状態に切り替える方がよい、とする限界の動作点を結んだ特性線である。回転電機１４のパワーを増加させるとき、この昇圧切替線５２に到達するまでは降圧状態とし、この昇圧切替線５２以上となるときに昇圧状態に切り替える。図２では、降圧状態にある動作点Ａから、動作点Ｂに移動したとき、昇圧切替線５２を越えるので、動作点Ｂは昇圧状態に切り替えられる。
【００４５】
降圧切替線５４は、電圧変換器２４を昇圧状態から降圧状態に切り替える方がよい、とする限界の動作点を結んだ特性線である。既に昇圧状態にある回転電機１４のパワーを減少させるとき、昇圧切替線５２を越えても、この降圧切替線５４に到達するまでは昇圧状態とし、この降圧切替線５４以下となるときに初めて降圧状態に切り替える。
【００４６】
このように、既に昇圧状態にある回転電機１４のパワーを減少させるときに、昇圧切替線５２に達しても降圧状態とせずに、さらにパワーを下げて降圧切替線５４に達したときに初めて降圧状態に戻す。その理由は、昇圧切替と降圧切替を同じ切替線で行うとすると、その切替線の前後で、切換えが頻繁に行われるチャタリングが生じ、動作が不安定になるためである。
【００４７】
図２の例で、既に昇圧状態にある動作点Ｂから、パワーを減少させていって動作点Ｃにきたときは、既に昇圧切替線５２を越えて、本来では降圧する方が全体の損失を最小にできる領域に入っているが、切替動作の不安定を避けるため、まだ昇圧状態とされる。さらにパワーを減少して、降圧切替線５４を越えたときに、初めて降圧状態とされる。
【００４８】
ところで、図２において、動作点Ｂから動作点Ｃに移動したときに、そのままあまり時間をおかずに、降圧切替線５４を越えれば、昇圧状態から降圧状態とされて、車両走行制御システム１０としては最小の損失とできる。ところが、回転電機１４のパワー減少がゆっくり行われ、昇圧切替線５２を越えてから降圧切替線５４になかなか到達しないと、
動作点Ｃがいる領域は、本来は降圧状態とすべきところ、チャタリングによる動作不安定を避けるため、昇圧状態に留めてある領域である。したがって、その状態で滞留すると、その滞留の期間の間、損失が最小とならず、車両としての燃費が悪くなる。これが本発明によって解決しようとする課題である。
【００４９】
その課題を解決するため、制御装置３０は、降圧切替線と予め定めた切替余裕度を隔てて降圧機会増加線５６を設定する。そして、動作点が、降圧切替線５４に達していないが降圧機会増加線５６に達したときに、切替余裕度に対応して車両の走行状態を変更し電圧変換器２４の動作点を移動させて降圧状態とする。図２の例では、動作点Ｃが降圧機会増加線５６を越えているので、回転電機１４に対するトルク指令値を小さくして、電圧変換器２４の動作点Ｃを動作点Ｄに移動させる。トルク指令値は、降圧機会増加線５６と降圧切替線５４との間のトルク差である切替余裕度以上に小さくする。つまり、降圧切替線５４を越えるように、トルク指令値を小さくする。
【００５０】
切替余裕度は、降圧機会増加線５６に動作点が達したときに、その動作点を降圧切替線５４以下の降圧状態に移動させるものであるので、あまり大きいと車両の乗客に違和感を与える。そこで、車両の乗客に違和感を与えない程度の大きさに切替余裕度を設定することがよい。この大きさは、車両の減速装置のギア比、車両の質量、停車中であるか否かの車両走行状態等によって異なる。これらを考慮して、切替余裕度として、例えば、１Ｎｍ程度の値を設定することができる。なお、図２から理解できるように、動作点Ｃを降圧状態の領域における動作点に移動させるには、回転数指令値を変更することでも可能である。また、トルク指令値の変更と回転数指令値の変更の組み合わせで動作点を移動させるものとしてもよい。
【００５１】
このように、電圧変換器の特性線に関する関係ファイル３６は、電圧変換器２４の動作点と昇圧切替線５２、降圧切替線５４とともに、降圧機会増加線５６の関係を示すファイルである。図２は、マップ形式であるが、これを、（Ｔ，Ｎ）で動作点を与えて、その動作点が降圧切替線５４を越えていない動作点Ａか、昇圧切替線５２を越えた動作点Ｂか、昇圧切替線５２と降圧切替線５４の間にあり、降圧機会増加線５６を越えた動作点Ｃかのいずれであるかを出力するルックアップ形式、またはＲＯＭ形式等で記憶するものとしてもよい。
【００５２】
なお、降圧機会増加線５６を用いて、車両の走行状態を変更し電圧変換器２４の動作点を移動させる処理を実行しようとするとき、あるいは実行中に、アクセル操作、ブレーキ操作、あるいは他の要因によって車両の走行状態が変更されるときは、それらの変更の実行を優先する。このようにすることによって、車両の走行性を維持することができ、乗客の違和感を生じさせることがない。
【００５３】
例えば、車両のアクセル操作によるトルク指令変更、または予め定める他の要因によるトルク指令変更がおこなわれたときには、これらのトルク指令変更を優先し、電圧変換器２４の動作点が降圧機会増加線５６に達しても降圧しない。
【００５４】
また、車両のブレーキ操作によるトルク指令低減変更、または予め定める他の要因によるトルク指令低減変更が行われたときに、これらのトルク指令低減変更によるトルク指令低減値が、切替余裕度に対応するトルク低下値よりも低減幅が大きい場合は、これらのトルク指令低減変更を優先する。これらの場合には、その処理を実行することで、電圧変換器２４の動作点が自然と降圧状態に移動するので、特に電圧変換器２４の動作点を移動させる処理を行う必要がないからである。
【００５５】
上記構成の作用、特に、制御装置３０の各機能の内容について、図３を用いて詳細に説明する。図３は、昇圧状態から降圧状態に切り替える手順を示すフローチャートである。各手順は、昇圧降圧切替プログラムの各処理手順に対応する。
【００５６】
車両走行制御プログラムが立ち上がると、その中の昇圧降圧切替プログラムにおいて、最初に、回転電機１４の現在の動作点としてのトルクＴと回転数Ｎの取得が行われる（Ｓ１０）。この処理手順は、制御装置３０の動作点取得部４０の機能によって実行される。具体的には、回転電機１４の駆動電流とロータ回転角等のデータに基づいて、現在のトルクＴと回転数Ｎが推定され、その値が取得される。
【００５７】
次に、取得された動作点の領域が判定される。具体的には、Ｓ１０で取得された動作点（Ｔ，Ｎ）が、図２で説明した関係ファイル３６における動作点Ａか動作点Ｂか動作点Ｃかが判定される。図３では、その判定が２つのステップに分けて行われることが示されている。すなわち、動作点が昇圧切替線５２以上か否かが判定される（Ｓ１２）。図２の例では、回転電機１４の現在の動作点（Ｔ，Ｎ）が、動作点Ｂか否かが判定される。Ｓ１２の判定が否定されると、次に、動作点が降圧切替線５４以下か否かが判断される（Ｓ１４）。図２の例では、回転電機１４の現在の動作点（Ｔ，Ｎ）が、動作点Ａか否かが判定される。Ｓ１２，Ｓ１４の処理手順は、制御装置３０の動作点領域判定部４２の機能によって実行される。
【００５８】
Ｓ１２の判定が肯定されると、回転電機１４の現在の動作点（Ｔ，Ｎ）は、図２の動作点Ｂに相当するので、昇圧状態とされる（Ｓ２２）。Ｓ１４の判定が肯定されると、回転電機１４の現在の動作点（Ｔ，Ｎ）は、図２の動作点Ａに相当するので、降圧状態とされる（Ｓ２０）。Ｓ１２の判定が否定され、Ｓ１４の判定が否定されると、回転電機１４の現在の動作点（Ｔ，Ｎ）は、図２の動作点Ｃに相当する。この場合は、Ｓ１６に進む。
【００５９】
Ｓ１６では、昇圧切替線５２と降圧切替線５４の間の領域にある動作点（Ｔ，Ｎ）について、一旦昇圧して昇圧状態のままであるか否かが判断される（Ｓ１６）。これは、図２において、動作点Ｂから、回転電機１４のパワーを減少させて、動作点Ｃとなった状態であるか、あるいは、動作点Ａから、回転電機１４のパワーを増加させて動作点Ｃとなった状態であるかを判断するものである。後者の場合は、降圧状態のままでまだ昇圧切替線５２に到達するまえであるので、その降圧状態のままとされる。このようにしても、車両走行制御システム１０としては、全体の損失が最小の状態を維持できる。前者の場合は、本来は降圧すべきところ、降圧切替線５４に到達する前の状態であるので、Ｓ１８に進む。
【００６０】
Ｓ１８では、回転電機１４のパワーを減少して、昇圧切替線５２を越え、降圧切替線５４に至っていないが、その手前に設定された降圧機会増加線５６に達したかどうかについて判定が行われる。すなわち、動作点が、予め定めた降圧機会増加線５６以下の領域にあるか否かが判定される。この処理手順は、制御装置３０の降圧機会増加領域判定部４４の機能によって実行される。降圧機会増加線５６は、降圧切替線５４に比べ、トルク値で１Ｎｍ程度大き目に設定した特性線とすることができる。
【００６１】
Ｓ１８の判定が肯定されると、回転電機１４の動作点（Ｔ，Ｎ）が図２の動作点Ｃから動作点Ｄに移動されて降圧状態とされる（Ｓ２０）。この処理手順は、制御装置３０の降圧状態変更部４６の機能によって実行される。
【００６２】
これによって、昇圧切替線５２を越えてから降圧切替線５４に到達する前に、降圧機会増加線５６に到達すれば、すぐ降圧状態とされるので、車両走行制御システム１０としては、損失最小でない期間を短縮でき、燃費の悪化を抑制することができる。
【産業上の利用可能性】
【００６３】
本発明に係る車両走行制御システムは、ハイブリッド車両、電気自動車の走行制御に利用できる。
【符号の説明】
【００６４】
１０  車両走行制御システム、１２  駆動源、１４  回転電機、１６  エンジン、２０  蓄電装置、２２，２６  平滑コンデンサ、２４  電圧変換器、２８  インバータ回路、３０  制御装置、３２  入力データ、３４  記憶装置、３６  関係ファイル、４０  動作点取得部、４２  動作点領域判定部、４４  降圧機会増加領域判定部、４６  降圧状態変更部、５０  特性線、５２  昇圧切替線、５４  降圧切替線、５６  降圧機会増加線。
【図１】
2013051828.tif 000003
【図２】
2013051828.tif 000004
【図３】
2013051828.tif 000005